(57)【要約】【課題】光量損失を起こさず、作製が容易で、かつ、いずれの位置から観察しても画面の輝度の均一性が向上する前面板及び透過型スクリーンを提供する。【解決手段】入射する光線の一部を全反射部（３１ａ，３１ｂ）で全反射させた後、出射部から出射させる単位レンズを長手方向が略水平となるように並べて複数配置したレンズ層３１と、少なくとも全反射部（３１ａ，３１ｂ）上に設けられ、出射側からの外光を吸収及び／又は減衰する外光吸収層３２とを備え、少なくとも前面板３０の中心よりも下方において、入射する光線の主光軸と単位レンズの下側全反射面３１ｂとがなす角度（β１〜β４）は、主光軸と単位レンズの上側全反射面３１ａとがなす角度（α１〜α４）よりも大きくする。【選択図】                図２
2005037514.tif 000002
【特許請求の範囲】
【請求項１】
略垂直方向の断面形状が、略台形形状である複数の単位レンズを長手方向が略水平となるように並べて複数配置した前面板であって、
少なくとも前面板の中心よりも下方において、前記単位レンズの下側の面と前面板の板面に対する垂線とのなす角度は、前記単位レンズの上側の面と前面板の板面に対する垂線とのなす角度よりも大きいこと、を特徴とする前面板。
【請求項２】
入射する光線の一部を全反射部で全反射させた後、出射部から出射させる単位レンズを長手方向が略水平となるように並べて複数配置したレンズ層と、
少なくとも前記全反射部の出射側に設けられ、出射側からの外光を吸収及び／又は減衰する外光吸収層と、
を備えた透過型スクリーンの前面板であって、
少なくとも前面板の中心よりも下方において、各位置に入射する主光線の光軸と前記単位レンズの下側全反射面とがなす角度は、前記光軸と前記単位レンズの上側全反射面とがなす角度よりも大きいこと、を特徴とする前面板。
【請求項３】
請求項２に記載の前面板において、
前記上側全反射面は、前記下側全反射面により反射された前記主光線の光軸が当たらないように配置されていること、を特徴とする前面板。
【請求項４】
請求項２又は請求項３に記載の前面板において、
前記上側全反射面及び／又は前記下側全反射面の角度は、前面板の上下方向の位置に応じて異なること、を特徴とする前面板。
【請求項５】
請求項３から請求項４までのいずれか１項に記載の前面板において、
入射する前記主光線の光軸と前記単位レンズの上側全反射面及び下側全反射面とがなす角度は、いずれも１０度未満であること、を特徴とする前面板。
【請求項６】
請求項１から請求項５までのいずれか１項に記載の前面板において、
前記外光吸収層は、前記レンズ層より屈折率の低い材料により形成されていること、を特徴とする前面板。
【請求項７】
請求項１から請求項６までのいずれか１項に記載の前面板において、
前記外光吸収層には、粒径が１μｍ以上、かつ、外光吸収層の幅未満の光吸収微粒子が分散されていること、を特徴とする前面板。
【請求項８】
請求項１から請求項７までのいずれか１項に記載の前面板において、
少なくとも一部に、前記光線を少なくとも上下方向に拡散させる拡散部を有すること、を特徴とする前面板。
【請求項９】
請求項８に記載の前面板において、
前記拡散部は、拡散剤を混入することにより形成されていること、
を特徴とする前面板。
【請求項１０】
請求項１から請求項９までのいずれか１項に記載の前面板と、
前記前面板よりも光源側に設けられた拡散シートと、
前記拡散シートよりもさらに光源側に設けられたフレネルレンズシートと、を備える透過型スクリーン。
【請求項１１】
請求項１０に記載の透過型スクリーンにおいて、
前記拡散シート及び／又は前記フレネルレンズシートは、前記前面板に入射する主光線の光軸を下方向に偏向する光軸偏向部を有すること、を特徴とする透過型スクリーン。
【請求項１２】
請求項１０又は請求項１１に記載の透過型スクリーンにおいて、
前記拡散シートは、レンチキュラーレンズの非集光部に光吸収層を有する両面レンチキュラーレンズシートであること、を特徴とする透過型スクリーン。
【請求項１３】
請求項１０又は請求項１１に記載の透過型スクリーンにおいて、
前記拡散シートは、入射する光線の一部を全反射部で全反射させた後、出射部から出射させる単位レンズを長手方向が略垂直となるように並べて複数配置したレンズ層と、
少なくとも前記全反射部の出射側に設けられ、出射側からの外光を吸収及び／又は減衰する外光吸収層と、を備えたレンズシートであること、を特徴とする透過型スクリーン。
【発明の詳細な説明】
【０００１】
【発明の属する技術分野】
本発明は、液晶やＤＬＰ（Ｄｉｇｉｔａｌ  Ｌｉｇｈｔ  Ｐｒｏｃｅｓｓｏｒ）等の単光源及びＣＲＴ等の水平配列の多管式プロジェクションテレビ等に用いられる前面板及び透過型スクリーンに関するものである。
【０００２】
【従来の技術】
透過型スクリーン及びその前面板では、外光の影響を抑え、コントラストの高い映像を観察できるように、各種提案がなされている。例えば、特許文献１〜３では、ルーバー状の光吸収壁列を配置してコントラストの向上を図っている。
【０００３】
【特許文献１】
特開平１１−１６７１６７号公報
【特許文献２】
特開２０００−１３７２９４号公報
【特許文献３】
特開２００２−２０７２５３号公報
【０００４】
【発明が解決しようとする課題】
しかし、上述の特許文献に記載されているルーバー状の光吸収壁列は、作製が困難であるという問題があった。
また、光吸収壁列により、光量の損失を生じ、光源からの光を有効に利用できないという問題があった。
【０００５】
本発明の課題は、光量損失を起こさず、作製が容易で、かつ、いずれの位置から観察しても画面の輝度の均一性が向上する前面板及び透過型スクリーンを提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。
【０００７】
請求項１の発明は、略垂直方向の断面形状が、略台形形状である複数の単位レンズを長手方向が略水平となるように並べて複数配置した前面板であって、少なくとも前面板の中心よりも下方において、前記単位レンズの下側の面（３１ｂ）と前面板の板面に対する垂線とのなす角度（β１〜β４）は、前記単位レンズの上側の面（３１ａ）と前面板の板面に対する垂線とのなす角度（α１〜α４）よりも大きいこと、を特徴とする前面板（３０）である。
【０００８】
請求項２の発明は、入射する光線の一部を全反射部（３１ａ，３１ｂ）で全反射させた後、出射部から出射させる単位レンズを長手方向が略水平となるように並べて複数配置したレンズ層（３１）と、少なくとも前記全反射部の出射側に設けられ、出射側からの外光を吸収及び／又は減衰する外光吸収層（３２）と、を備えた透過型スクリーンの前面板であって、少なくとも前面板の中心よりも下方において、各位置に入射する主光線の光軸と前記単位レンズの下側全反射面（３１ｂ）とがなす角度（β１〜β４）は、前記光軸と前記単位レンズの上側全反射面（３１ａ）とがなす角度（α１〜α４）よりも大きいこと、を特徴とする前面板（３０）である。
【０００９】
請求項３の発明は、請求項１に記載の前面板において、前記上側全反射面（３１ａ）は、前記下側全反射面（３１ｂ）により反射された前記主光線の光軸が当たらないように配置されていること、を特徴とする前面板（３０）である。
【００１０】
請求項４の発明は、請求項１又は請求項２に記載の前面板において、前記上側全反射面（３１ａ）及び／又は前記下側全反射面（３１ｂ）の角度は、前面板の上下方向の位置に応じて異なること、を特徴とする前面板（３０）である。
【００１１】
請求項５の発明は、請求項１から請求項３までのいずれか１項に記載の前面板において、入射する前記主光線の光軸と前記単位レンズの上側全反射面（３１ａ）及び下側全反射面３１ｂ）とがなす角度は、いずれも１０度未満であること、を特徴とする前面板（３０）である。
【００１２】
請求項６の発明は、請求項１から請求項４までのいずれか１項に記載の前面板において、前記外光吸収層（３２）は、前記レンズ層（３１）より屈折率の低い材料により形成されていること、を特徴とする前面板（３０）である。
【００１３】
請求項７の発明は、請求項１から請求項５までのいずれか１項に記載の前面板において、前記外光吸収層（３２）には、粒径が１μｍ以上、かつ、外光吸収層の幅未満の光吸収微粒子が分散されていること、を特徴とする前面板（３０）である。
【００１４】
請求項８の発明は、請求項１から請求項６までのいずれか１項に記載の前面板において、少なくとも一部に、前記光線を少なくとも上下方向に拡散させる拡散部を有すること、を特徴とする前面板である。
【００１５】
請求項９の発明は、請求項７に記載の前面板において、前記拡散部は、拡散剤を混入することにより形成されていること、を特徴とする前面板である。
【００１６】
請求項１０の発明は、請求項１から請求項８までのいずれか１項に記載の前面板（３０）と、前記前面板よりも光源側に設けられた拡散シート（２０）と、前記拡散シートよりもさらに光源側に設けられたフレネルレンズシート（１０）と、を備える透過型スクリーンである。
【００１７】
請求項１１の発明は、請求項９に記載の透過型スクリーンにおいて、前記拡散シート（２０）及び／又は前記フレネルレンズシート（１０）は、前記前面板（３０）に入射する主光線の光軸を下方向に偏向する光軸偏向部を有すること、を特徴とする透過型スクリーンである。
【００１８】
請求項１２の発明は、請求項９又は請求項１０に記載の透過型スクリーンにおいて、前記拡散シート（２０）は、レンチキュラーレンズの非集光部に光吸収層を有する両面レンチキュラーレンズシートであること、を特徴とする透過型スクリーンである。
【００１９】
請求項１３の発明は、請求項９又は請求項１０に記載の透過型スクリーンにおいて、前記拡散シート（２０）は、入射する光線の一部を全反射部で全反射させた後、出射部から出射させる単位レンズを長手方向が略垂直となるように並べて複数配置したレンズ層と、少なくとも前記全反射部の出射側に設けられ、出射側からの外光を吸収及び／又は減衰する外光吸収層と、を備えたレンズシートであること、を特徴とする透過型スクリーンである。
【００２０】
【発明の実施の形態】
以下、図面等を参照しながら、本発明の実施の形態について、更に詳しく説明する。
図１は、本発明による透過型スクリーンの実施形態を示す斜視図である。
本実施形態における透過型スクリーン１は、液晶やＤＬＰ等の単光源及びＣＲＴ等の水平配列の多管式プロジェクションテレビ等に用いられるスクリーンであり、フレネルレンズシート１０，拡散シート２０，前面板３０を重ねて形成されている。
【００２１】
フレネルレンズシート１０は、出射面にフレネルレンズ形状が形成されているレンズシートであり、不図示の映像光源からの映像光を略平行な（拡散シート２０に対して略直角に入射する）光として出射させる。
【００２２】
拡散シート２０は、入射側レンチキュラーレンズ部２１，出射側レンチキュラーレンズ部２２，ブラックストライプ（以下、ＢＳ）層２３を有している。出射側レンチキュラーレンズ部２２は、入射側レンチキュラーレンズ部２１の焦点付近に設けられており、ＢＳ層２３は、入射側レンチキュラーレンズ部２１が集光する光が通過しない非出射部であって、出射側レンチキュラーレンズ部２２の単位レンチキュラーレンズ形状に挟まれるように設けられている。本実施形態における拡散シート２０は、上下方向に延在する単位レンチキュラーレンズ形状を左右（水平）方向に並べているので、左右方向において光を拡散し、上下方向に対しては殆ど影響を与えない。なお、単光源の場合には出射側レンチキュラーレンズ部２２は不要である。
【００２３】
図２は、前面板３０を縦方向で切断して示した断面図である。なお、図２では、前面板３０を上方〜下方に渡り４ヵ所に分割して示している。
前面板３０は、図２に示した断面形状が略台形形状の単位レンズを有したレンズ層３１と、この単位レンズの間に形成されている外光吸収層３２とを有している。
レンズ層３１は、単位レンズの長手方向が略水平となるように並べて複数配置されている。この単位レンズには、上側全反射面３１ａ，下側全反射面３１ｂ，出射部３１ｃが設けられている。
なお、レンズ層３１の単位レンズとフレネルレンズシート１０及び／又は画素とのモアレ防止を図るために、単位レンズのピッチは、公知の手法に基づいて決定する。
【００２４】
図２中には、この断面において入射する主光線の光軸と上側全反射面３１ａとのなす角度（以下、上側全反射面角度とする）α１〜α４，入射する主光線の光軸と下側全反射面３１ｂとのなす角度（以下、下側全反射面角度とする）β１〜β４を示している。
上側全反射面角度α１〜α４は、スクリーンの上方ほど大きく、スクリーンの最も下方では、略ゼロとなるように、徐々に角度が変化している（α１＞α２＞α３＞α４≒０）。
【００２５】
一方、下側全反射面角度β１〜β４は、スクリーンの下方ほど大きくなるように、徐々に角度が変化している（β１＜β２＜β３＜β４）。
また、上側全反射面角度α１〜α４と下側全反射面角度β１〜β４との関係は、β１≧α１，β２＞α２，β３＞α３，β４＞α４となっている。
【００２６】
本実施形態では、フレネルレンズシート１０及び拡散シート２０を通過した映像光は、上下方向に関しては、前面板３０に対して略直角に入射する。したがって、上記上側全反射面角度α１〜α４，下側全反射面角度β１〜β４は、それぞれ、前面板３０に入射する映像光の主光線の光軸と上側全反射面３１ａ，下側全反射面３１ｂとのなす角度（図２に示した断面において）と略等しくなっている。よって、入射する映像光の主光線の光軸と下側全反射面３１ｂとがなす角度は、主光線の光軸と上側全反射面３１ａとがなす角度よりも大きくなっている。
【００２７】
なお、フレネルレンズシート及び拡散シートの形態によっては、これらを通過した映像光が上下方向に関しても、必ずしも前面板３０に対して略直角に入射するとは限らない。例えば、フレネルレンズシートにより集光させたり拡散させたりする場合もある。そのような場合には、主要な観察位置において良好な画像が得られるように、前面板における上側全反射面角度及び下側全反射面角度を適宜変更するとよい。その場合、上側全反射面角度及び下側全反射面角度の大小関係は、上述したような関係から外れる場合もあり得るが、少なくとも、前面板に入射する映像光線の主光線の光軸と単位レンズの下側全反射面とがなす角度が、主光線の光軸と単位レンズの上側全反射面とがなす角度よりも大きくなるようにすれば、本発明の効果を得ることができ、良好な画像を得ることができる。
【００２８】
図３は、本実施形態における前面板３０の作用を説明する図である。図３の右側には主光線の光軸の光路を示し、図３の左側には、領域毎に出射する映像光の分布を示している。
上述のように、入射する映像光の主光線の光軸と下側全反射面３１ｂとがなす角度は、主光線の光軸と上側全反射面３１ａとがなす角度よりも大きくなっている。よって、本実施形態の前面板３０に入射する映像光の内、下側全反射面３１ｂによって反射される成分については、大きく上方に偏向される。
一方、上側全反射面３１ａによって反射される映像光の成分は、下方に偏向されるが、その角度は、下側全反射面３１ｂによって反射される成分よりも少ない。また、上側全反射面３１ａ，下側全反射面３１ｂにより反射されない成分については、略そのまま出射される。
【００２９】
例えば、前面板３０に対して直角に入射し、下側全反射面角度β＝５度の下側全反射面３１ｂに当たった光は、レンズ層３１の屈折率＝１．５であるとすると、下側全反射面３１ｂにより反射され、さらに、出射部３１ｃから出射するときに屈折されるので、ａｒｃｓｉｎ（１．５＊ｓｉｎ（５＊２））＝１５度上に向いて出射する。
したがって、全体としてみると、前面板３０に入射した映像光は、入射時よりも上方に向けて出射する成分が多くなる。
【００３０】
図４は、本実施形態における透過型スクリーンを用いたプロジェクションテレビを見る状態を示した図である。
プロジェクションテレビから出射する映像光は、上下均一であるよりも、図４に示すように、下端において全体に上方に指向性を与え、上に行くにしたがって水平に近づき、上端ではやや下方に指向性を設けると、いずれの位置（立ち位置、着座位置）から見ても画面全体が明るく均一に見える。
【００３１】
ここで、入射する映像光の主光線の光軸と単位レンズの上側全反射面３１ａ，下側全反射面３１ｂとがなす角度は、１０度未満であることが望ましい。この角度が１０度以上となると、上向き成分が増えすぎるので、正面から観察した場合に暗くなってしまう。より好ましくは、０〜５度程度がよい。
【００３２】
外光吸収層３２は、レンズ層３１の単位レンズ間に設けられており、レンズ層３１の屈折率よりも低い屈折率を有した素材により形成されている。したがって、レンズ層３１と外光吸収層３２との境界部分では、臨界角を越えた光が入射すると、全反射を行うので、上述の上側全反射面３１ａ，下側全反射面３１ｂにより映像光を全反射し、映像光の損失をすることなく出射することができる。
また、外光吸収層３２には、粒径が１μｍ以上、かつ、外光吸収層３２の幅未満の光吸収微粒子が分散されており、観察者側から来る外光を効果的に吸収・減衰することができる。よって、観察される映像光のコントラストを向上することができる。
【００３３】
一方、本実施形態のような背面投射型スクリーンにおいて、フレネルレンズシート１０を透過する映像光は、そのレンズ面において、数％の光が各界面で内部反射し迷光となっていた。この迷光が原因となって、カラーコーン（主にスクリーン中心に発生）やレインボウ（主にスクリーン下部に発生）等の画像障害が生じる。これらの画像障害は、特に、スクリーン正面から見る場合よりも、スクリーンの上方又は下方から見る場合に現れやすかった。
【００３４】
しかし、本実施形態では、カラーコーンやレインボーのように上下方向に大きな指向性を持つ迷光は、上側全反射面３１ａ，下側全反射面３１ｂに対して大きな角度で入射する。したがって、上側全反射面３１ａ，下側全反射面３１ｂに達した迷光は、全反射をすることなく、そのまま上側全反射面３１ａ，下側全反射面３１ｂを通過し、外光吸収層３２に達して、吸収・減衰される。よって、本実施形態では、カラーコーンやレインボー等の画像障害も解消することができる。
【００３５】
また、本実施形態における前面板３０は、従来から利用されている透過型スクリーンの製造方法と同様な方法で製造することができるので、簡単かつ安価に製造することができる。
【００３６】
（変形形態）
以上説明した実施形態に限定されることなく、種々の変形や変更が可能であって、それらも本発明の均等の範囲内である。
（１）例えば、本実施形態において、レンズ層３１の単位レンズの断面形状は、略台形形状である例を示したが、これに限らず、例えば、単位レンズに設けられている２つの全反射面による全反射光と、これら全反射面では反射しないで直接出射する光との、二又は三方向の拡散が顕著に現れすぎ、上下方向の輝度変化（輝度ムラ）が生じるような場合には、単位レンズの断面形状を６角形、８角形等の多角形としたり〔図５（ａ）のレンズ層２３１参照〕、全反射面を円弧、楕円の一部等の曲面としたり〔図５（ｂ）のレンズ層３３１参照〕、複数種類の形状の異なる単位レズを組み合わせたり〔図５（ｃ）のレンズ層４３１，５３１参照〕して、輝度変化を滑らかにしてもよい。
【００３７】
（２）上下方向の拡散効果を有する要素（レンズ部、拡散材等）をさらに追加して、上下方向の拡散性を持たせることで輝度変化を滑らかにするとともに、モアレやシンチレーションの低減を図ってもよい。
【００３８】
（３）本実施形態において、前面板３０に対して映像光は、縦断面において略直角に入射する例を示したが〔図６（ａ）参照〕、これに限らず、例えば、フレネルレンズシート１０のフレネルセンターを下方にシフトしたり、プリズムやリニアフレネルレンズシート等を追加したりして、拡散シート２０から前面板３０へ向かう映像光を下方に向けてもよい〔図６（ｂ）参照〕。このようにすることにより、全反射面の形状に頼らずに、入射する映像光の主光線の光軸と下側全反射面とがなす角度を、主光線の光軸と上側全反射面とがなす角度よりも大きくすることができる。したがって、本実施形態に示した前面板３０の製造に必要な金型の製造が、鋭角に尖った部分の加工性の問題で困難な場合であっても、本実施形態と同様な効果を得ることができる。
【００３９】
また、拡散シート２０から前面板３０へ向かう映像光を下方に向けることにより、映像光が上側全反射面に当たる割合が減り、下側全反射面に当たる割合を増やすことも可能であるので、上記の実施形態に示した前面板３０と組み合わせて用いると、さらに高い光軸補正の効果が期待できる。
【００４０】
なお、全反射面に当たらないで直接下方へ出射する光線が多くなってしまう場合には、出射部３１ｃの幅に対して高さ（全反射面の長さ：図６では、左右方向の長さ）を大きくすればよい。ただし、下側全反射面の最も入射側に当たって反射した光が上側全反射面の出射側に近い面で再度当たると下方に向かって出射してしまうので、そのようにならないようにすることが必要である。
【００４１】
（４）本実施形態において、前面板３０の出射部３１ｃ及び外光吸収層３２を最表面に形成する例を示したが、これに限らず、例えば、これらの上にクリア層をラミネート加工又はコーティング加工しても、剛性の高いプラスチックシートをラミネート加工してもよく、その表面にさらに反射防止処理、ノングレア処理、傷つき防止処理（ハードコート処理）、帯電防止処理、拡散処理、汚染防止処理等を行ってもよい。
【００４２】
（５）本実施形態において、拡散シート２０は、ＢＳ層２３を備えた両面レンチキュラーレンズシートである例を示したが、これに限らず、例えば、入射する光線の一部を全反射部で全反射させた後、出射部から出射させる単位レンズを長手方向が略垂直となるように並べて複数配置したレンズ層と、少なくとも全反射部上に設けられ、出射側からの外光を吸収及び／又は減衰する外光吸収層とを備えたレンズシートを拡散シートとして設けてもよい。
【００４３】
（６）本実施形態において、拡散板２０と前面板３０とは、別々のレンズシートの形態を例に挙げて説明したが、これに限らず、たとえば、拡散板と前面板とが一体的に接合されていてもよい。
【００４４】
（７）本実施形態において、上側全反射面角度α１〜α４は、スクリーンの上方ほど大きく、下側全反射面角度β１〜β４は、スクリーンの下方ほど大きくなるようにした例を示したが、これに限らず、例えば、少なくともスクリーン中央よりも下方において前述の関係を有しているようにしてもよい。
【００４５】
（８）本実施形態において、フレネルレンズシート１０は、フレネルレンズ面が出射面側に形成されている例を示したが、これに限らず、例えば、映像光の入射角度が大きい場合には、特開２０００−１８０９６７号公報に記載されている全反射円弧状プリズムを有した全反射フレネルレンズシートを用いてもよく、その場合には、全反射円弧状プリズムが入射側となる。
【００４６】
【発明の効果】
以上詳しく説明したように、本発明によれば、以下の効果を奏することができる。
（１）少なくとも前面板の中心よりも下方において、各位置に入射する主光線の光軸と単位レンズの下側全反射面とがなす角度は、光軸と単位レンズの上側全反射面とがなす角度よりも大きいので、上下方向の光軸の制御を行うことができ、観察される頻度の高いスクリーン正面（中央）及びスクリーン中央よりも上方から観察しても画面の輝度の均一性が向上する。
【００４７】
（２）上側全反射面は、下側全反射面により反射された主光線の光軸が当たらないように配置されているので、必要な光を遮ることなく確実に射出させることができる。
【００４８】
（３）上側全反射面及び／又は下側全反射面の角度は、前面板の上下方向の位置に応じて異なるので、位置毎に最適な光学特性とすることができ、どのような位置から観察しても、均一な画像を得ることができる。
【００４９】
（４）入射する主光線の光軸と単位レンズの上側全反射面及び下側全反射面とがなす角度は、いずれも１０度未満であるので、確実に全反射させることができ、映像光を無駄なく利用することができる。
【００５０】
（５）外光吸収層は、レンズ層より屈折率の低い材料により形成されているので、全反射面を容易に形成することができる。
【００５１】
（６）外光吸収層には、粒径が１μｍ以上、かつ、外光吸収層の幅未満の光吸収微粒子が分散されているので、全反射面を形成しつつ、外光の吸収・減衰効果を与えることができる。
【００５２】
（７）光線を少なくとも上下方向に拡散させる拡散部を有するので、輝度変化を滑らかにするとともに、モアレやシンチレーションの低減をすることができる。
【００５３】
（８）拡散部は、拡散剤を混入することにより形成されているので、拡散部を簡単かつ安価に形成することができる。
【００５４】
（９）前面板よりも光源側に設けられた拡散シートと、拡散シートよりもさらに光源側に設けられたフレネルレンズシートとを備えるので、従来から使用されている透過型スクリーンに前面板を追加するだけで、本発明の効果を得ることができる。
【００５５】
（１０）拡散シート及び／又はフレネルレンズシートは、前面板に入射する主光線の光軸を下方向に偏向する作用を有するので、前面板の製造に必要な金型の製造が、鋭角に尖った部分の加工性の問題で困難な場合であっても、本発明の効果を得ることができる。
【００５６】
（１１）拡散シートは、レンチキュラーレンズの非集光部に光吸収層を有する両面レンチキュラーレンズシートであるので、上下、左右、いずれの方向に観察位置が移動しても、常に画面の輝度の均一とすることができる。
【図面の簡単な説明】
【図１】本発明による透過型スクリーンの実施形態を示す斜視図である。
【図２】前面板３０を縦方向で切断して示した断面図である。
【図３】本実施形態における前面板３０の作用を説明する図である。
【図４】本実施形態における透過型スクリーンを用いたプロジェクションテレビを見る状態を示した図である。
【図５】レンズ層形状の変形形態を示す図である。
【図６】映像光を下方に向けて前面板に入射させる変形形態を示す図である。
【符号の説明】
１  透過型スクリーン
１０  フレネルレンズシート
２０  拡散シート
２１  入射側レンチキュラーレンズ部
２２  出射側レンチキュラーレンズ部
２３  ブラックストライプ（ＢＳ）層
３０  前面板
３１  レンズ層
３１ａ  上側全反射面
３１ｂ  下側全反射面
３１ｃ  出射部
３２  外光吸収層
【図１】
2005037514.tif 000003
【図２】
2005037514.tif 000004
【図３】
2005037514.tif 000005
【図４】
2005037514.tif 000006
【図５】
2005037514.tif 000007
【図６】
2005037514.tif 000008